(57)【要約】【課題】使い勝手の向上を図ると共にキーボードの操作キーに対する操作が行われるキー操作状態における安定性の確保を図る。【解決手段】キーボード形成面４ａに複数の操作キー５ａ、５ａ、・・・を有するキーボード５が設けられた筐体４を設け、該筐体内に異なる種類の記憶媒体が各別に装着される複数の装着用ホルダー２９、３４を配置し、載置面１００上に載置され上記操作キーに対する操作が行われるキー操作状態における筐体の後面４ｂに、上下に離間して上記複数の装着用ホルダーの各挿入口３１、４０を形成し、キー操作状態において最も載置面側に配置された装着用ホルダーを挿入口に近付くに従ってキーボード形成面から離隔する方向へ傾斜させ、キー操作状態においてキーボード形成面を後方へ向かうに従って上方へ変位するように傾斜させるようにした。【選択図】　　　　図１０
2004118504.tif 000002
【特許請求の範囲】
【請求項１】
キーボード形成面に複数の操作キーを有するキーボードが設けられた筐体を備え、
該筐体内に異なる種類の記憶媒体が各別に装着される複数の装着用ホルダーが配置され、
任意の載置面上に載置され上記操作キーに対する操作が行われるキー操作状態における筐体の後面に、上下に離間して上記複数の装着用ホルダーの各挿入口が形成され、
キー操作状態において最も載置面側に配置された装着用ホルダーが挿入口に近付くに従ってキーボード形成面から離隔する方向へ傾斜され、キー操作状態においてキーボード形成面が後方へ向かうに従って上方へ変位するように傾斜されるようにした
ことを特徴とする情報処理機器。
【請求項２】
筐体の挿入口が形成された側の端部に回動自在に支持されると共にキーボードを閉塞する閉塞位置とキーボードを開放する開放位置との間で回動するカバー体を設けた
ことを特徴とする請求項１に記載の情報処理機器。
【請求項３】
キー操作状態においてカバー体が開放位置にあるときに、筐体の前後方向における両端部が載置面に接地するようにした
ことを特徴とする請求項２に記載の情報処理機器。
【請求項４】
キー操作状態における筐体の底面の後端部に、載置面に接地する突起を設けた
ことを特徴とする請求項１に記載の情報処理機器。
【請求項５】
筐体内に回路基板を設け、該回路基板を上記傾斜された装着用ホルダー上に配置し、
上記傾斜された装着用ホルダーに記憶媒体が接続される接続コネクターを設け、
回路基板と接続コネクターとをフレキシブルプリント配線板によって接続した
ことを特徴とする請求項１に記載の情報処理機器。
【請求項６】
傾斜された装着用ホルダーを他の装着用ホルダーに接した状態で配置される配置板部に連設し、
該配置板部に上記他の装着用ホルダーの一部が配置される切欠部を形成した
ことを特徴とする請求項１に記載の情報処理機器。
【発明の詳細な説明】
【０００１】
【発明の属する技術分野】
本発明は情報処理機器に関する。詳しくは、使い勝手の向上を図ると共にキーボードの操作キーに対する操作が行われるキー操作状態における安定性の確保を図る技術分野に関する。
【０００２】
【従来の技術】
情報処理機器には、例えば、ＰＤＡ（Ｐｅｒｓｏｎａｌ　Ｄｉｇｉｔａｌ　Ａｓｓｉｓｔａｎｔ）と称される携帯用の装置がある。
【０００３】
ＰＤＡは、一般に、扁平な略長方形状を為す筐体に複数の操作キーを有するキーボードが設けられており、操作キーに対する操作により文字入力やアプリケーションの起動等の種々の処理を行うことができる。
【０００４】
ＰＤＡには、拡張性を向上させるために、複数の異なる種類のカード型の記憶媒体が各別に装着される複数のスロットを有するタイプがあり、このようなタイプのＰＤＡには、各スロットの挿入口が筐体の側面に厚み方向と直交する方向又は厚み方向に離隔して形成されたものや左右両側面にそれぞれ形成されたものがある。
【０００５】
【非特許文献１】
“「ＰｏｃｋｅｔＰＣ　ｅ７４０」商品説明”、［ｏｎｌｉｎｅ］、東芝ホームページ、［平成１４年９月２５日検索］、インターネット＜ＵＲＬ：ｈｔｔｐ：／／ｄｙｎａｂｏｏｋ．ｃｏｍ／ｐｃ／ｃａｔａｌｏｇ／ｐｏｃｋｅｔｐｃ／０２０７０４ｅ７／ｍｏｂｉｌｅ．ｈｔｍ＞
【０００６】
【発明が解決しようとする課題】
ところで、ＰＤＡを携帯用の装置として使用する場合には、使用者は、通常、筐体の左右両側面を片手で把持する。
【０００７】
ところが、上記した従来のＰＤＡにあっては、筐体の側面に各スロットの挿入口が形成されているため、携帯時に記憶媒体のスロットに対する出し入れを行う際に把持した手が邪魔となり、使い勝手が悪いという問題がある。
【０００８】
そこで、例えば、筐体の周面のうち側面に直交する面に挿入口が位置するように各スロットの挿入口を設けることが考えられるが、この場合、左右に離隔して複数のスロットの各挿入口を設けると、筐体の横幅が大きくなってしまう。従って、図１４に示すように、小型化を考慮すると筐体ａの厚み方向に離隔してスロットｂ、ｃを設けることが望ましい。このようにスロットｂ、ｃを筐体ａの厚み方向に離隔して設け、筐体ａの周面のうち側面に直交する面に挿入口ｄ、ｅを形成すれば、使い勝手の向上及び小型化の双方を図ることができる。
【０００９】
しかしながら、筐体ａの厚み方向に離隔してスロットｂ、ｃを設けた場合には、筐体ａのスロットｂ、ｃが設けられた部分のみが厚くなり、他の部分との間に段差ｆが生じてしまう。従って、ＰＤＡを机上等の載置面ｇに載置した状態において段差ｆの分だけ筐体ａの一部が載置面ｇから離れてしまい、キーボードｈの操作キーに対する操作を行おうとするときに、筐体ａがガタ付いてしまい操作性が悪くなってしまうという問題が発生する。
【００１０】
そこで、本発明情報処理機器は、上記した問題点を克服し、使い勝手の向上を図ると共にキーボードの操作キーに対する操作が行われるキー操作状態における安定性の確保を図ることを課題とする。
【００１１】
【課題を解決するための手段】
本発明情報処理機器は、上記した課題を解決するために、キーボード形成面に複数の操作キーを有するキーボードが設けられた筐体を設け、該筐体内に異なる種類の記憶媒体が各別に装着される複数の装着用ホルダーを配置し、任意の載置面上に載置され上記操作キーに対する操作が行われるキー操作状態における筐体の後面に、上下に離間して上記複数の装着用ホルダーの各挿入口を形成し、キー操作状態において最も載置面側に配置された装着用ホルダーを挿入口に近付くに従ってキーボード形成面から離隔する方向へ傾斜させ、キー操作状態においてキーボード形成面を後方へ向かうに従って上方へ変位するように傾斜させるようにしたものである。
【００１２】
従って、本発明情報処理機器にあっては、キー操作状態において重心が筐体の前端側に位置される。
【００１３】
【発明の実施の形態】
以下に、本発明情報処理機器の実施の形態を添付図面を参照して説明する。尚、以下に示す実施の形態は、本発明を、情報処理機器としてＰＤＡ（Ｐｅｒｓｏｎａｌ　Ｄｉｇｉｔａｌ　Ａｓｓｉｓｔａｎｔ）に適用したものである。
【００１４】
先ず、情報処理機器（ＰＤＡ）１の外部構成について説明する（図１乃至図７参照）。
【００１５】
情報処理機器１は装置本体２と該装置本体２に回動自在に支持されたカバー体３とから成る（図１及び図２参照）。
【００１６】
装置本体２は扁平な略長方形状に形成された筐体４に所要の各部が配置されて成り、装置本体２にはキーボード５が設けられている。
【００１７】
尚、筐体４の向きについては、図１に示すように、キーボード５が上方を向き、長手方向を前後方向とした向きで説明する。
【００１８】
キーボード５は筐体４のキーボード形成面（上面）４ａに設けられ、複数の操作キー５ａ、５ａ、・・・によって構成されている。
【００１９】
筐体４の前端部には充電用コネクター部６が設けられている。
【００２０】
筐体４の後端部には略上方へ突出された支持軸部７が設けられ、該支持軸部７に電源スイッチ８が配置されている。支持軸部７は、その一部が凹状に切り欠かれ、この切り欠かれた部分に撮像レンズを有するカメラ部９が挿入されて配置されている。カメラ部９を用いることにより画像の撮影を行うことができる。
【００２１】
筐体４の左側面部には、後述するイヤホンジャックや回転操作摘子等が配置されている。筐体４の右側面部にはペン収納部１０が設けられ、該ペン収納部１０に入力ペン１１が収納可能とされている。
【００２２】
筐体４は上シェル１２と下シェル１３とが上下で結合されて成り、下シェル１３の後半部には、その左右両端部を除く部分に、後方へ行くに従って下方への突出量が大きくされた突部１４が設けられている（図３乃至図５参照）。突部１４の後端部には、左右に離間して下方へ突出された突起１４ａ、１４ａが設けられている。下シェル１３の左端部には、その前寄りの位置に左方及び上方に開口された挿入用切欠１３ａが形成されている（図１参照）。
【００２３】
筐体４の後面４ｂには、開口４ｃが形成されている（図６参照）。
【００２４】
カバー体３は扁平な縦長の略長方形状に形成されたカバー部１５と該カバー部１５を回転可能に支持する基部１６とから成る（図１及び図２参照）。カバー部１５と基部１６は、筐体４の支持軸部７と直交する方向に延びる回転用支持軸１７によって連結され、カバー部１５が回転用支持軸１７の軸回り方向へ基部１６に対して回転可能とされている。
【００２５】
カバー部１５の一方の面には、例えば、液晶ディスプレイから成る表示部１８が設けられている（図１参照）。
【００２６】
基部１６は左右方向に延びる支持部１６ａと該支持部１６ａの左右両端部からカバー部１５と反対側へ突出された被支持突部１６ｂ、１６ｂとから成り、該被支持突部１６ｂ、１６ｂが筐体４の支持軸部７にヒンジ軸１９を介して回動自在に支持されている（図１及び図２参照）。
【００２７】
カバー体３は、装置本体２との開き角θが、例えば、１６０°となる開放位置（図３参照）とキーボード５を閉塞する閉塞位置（図４参照）との間で装置本体２に対して回動可能とされている。
【００２８】
また、上記したように、カバー部１５は基部１６に対して回転用支持軸１７を介して回転可能とされており、図７に示すように、カバー部１５を反転させて表示部１８がキーボード５と同じ方向を向く状態で情報処理機器１を使用することができる。このような状態においては、例えば、入力ペン１１を用い、表示部１８に表示される各画面に対する操作や文字入力等を行うことができる。
【００２９】
次に、筐体４の内部に配置された各部の構成について説明する（図８乃至図１３参照）。
【００３０】
筐体４内には、その前端部にバッテリー２０が収納される（図８及び図９参照）。バッテリー２０は下シェル１３の挿入用切欠１３ａを介して挿入され、該挿入用切欠１３ａは蓋２１によって閉塞される。
【００３１】
筐体４内には、バッテリー２０の後側に所定の処理回路が形成された第１の回路基板２２が配置されている。第１の回路基板２２は横幅が広い幅広部２２ａと該幅広部２２ａの後縁から後方へ突出された幅狭部２２ｂとから成り、該幅狭部２２ｂは幅広部２２ａの左右方向における略中央部から突出されている。
【００３２】
第１の回路基板２２には前後に離間して第１のコネクター部２３、第２のコネクター部２４及び第３のコネクター部２５が搭載されている。最も前側に位置する第１のコネクター部２３は、筐体４の前端部に設けられた充電用コネクター部６と第１のフレキシブルプリント配線板２６によって接続されている。
【００３３】
第１の回路基板２２の幅狭部２２ｂの左側の位置には、イヤホンジャック２７と回転操作摘子２８が配置されている。
【００３４】
第１の回路基板２２の幅狭部２２ｂの右側の位置には、第１の装着用ホルダー２９が配置されている。第１の装着用ホルダー２９は縦長の扁平な箱状に形成され、後面の一部及び下面の後端部が開口されている。第１の装着用ホルダー２９は、筐体４のキーボード形成面４ａに水平な状態で、後端が筐体４の開口４ｃに一致されるようにして配置されている。
【００３５】
筐体４内の後端部には保護カバー３０が配置されている。保護カバー３０によって第１の装着用ホルダー２９の下面側の開口が下方から覆われている。
【００３６】
上記のように、保護カバー３０によって覆われた第１の装着用ホルダー２９の後端が筐体４の開口４ｃに一致されるようにして配置されることにより、筐体４の後面に第１の挿入口３１が形成される（図６及び図１０参照）。
【００３７】
第１の装着用ホルダー２９の内部には図示しない接続コネクターが設けられ、該接続コネクターが第１の回路基板２２に設けられた図示しないコネクター部に第２のフレキシブルプリント配線板３２によって接続されている。第１の装着用ホルダー２９には第１の挿入口３１を介して図示しない板状の第１の記憶媒体が挿入されて保持される。
【００３８】
筐体４内には保持体３３が配置されている（図８、図９、図１１及び図１２参照）。保持体３３は上方及び後方に開口された扁平な第２の装着用ホルダー３４と該第２の装着用ホルダー３４を上方から覆うようにして設けられた配置板部３５と該配置板部３５の左右両端部からそれぞれ前方へ突出された脚部３６、３６とを有している。保持体３３の所定の位置には４つの被取付部３３ａ、３３ａ、・・・が設けられている。
【００３９】
第２の装着用ホルダー３４は、下面部３４ａと前面部３４ｂと下面部３４ａの左右両側縁からそれぞれ上方へ突出された側面部３４ｃ、３４ｃと該側面部３４ｃ、３４ｃの上縁から互いに近付く方向へ突出された押さえ部３４ｄ、３４ｄとから成り、下面部３４ａには大きな透孔３４ｅが形成されている（図１１参照）。下面部３４ａに透孔３４ｅを形成することにより、保持体３３の軽量化が図られている。
【００４０】
第２の装着用ホルダー３４の前面部３４ｂの内面には接続コネクター３７が取り付けられている（図８及び図９参照）。第２の装着用ホルダー３４は配置板部３５に対して後方へ行くに従って下方へ変位するように傾斜された状態とされている（図１２参照）。この傾斜角度は、例えば、２°乃至３°である。
【００４１】
配置板部３５の右半部には切欠部３５ａが形成されている（図１１参照）。配置板部３５の前端部の下面にはスピーカー３８が取り付けられている（図８及び図９参照）。配置板部３５には切欠部３５ａの前端に対応する位置に段差３５ｂが形成され、該段差３５ｂから前側の部分３５ｃがこれより後側の部分３５ｄに対して稍下方に位置されている。
【００４２】
保持体３３は第１の回路基板２２及び第１の装着用ホルダー２９を下方から覆うようにして配置され、被取付部３３ａ、３３ａ、・・・がネジ止め等により第１の回路基板２２又は筐体４に取り付けられる（図９参照）。
【００４３】
保持体３３が筐体４内に配置された状態においては、配置板部３５が筐体４のキーボード形成面４ａに平行な状態とされ、第２の装着用ホルダー３４はキーボード形成面４ａに対して後下がりの状態で傾斜される（図１３参照）。このとき配置板部３５に形成された切欠部３５ａは第１の装着用ホルダー２９に対応して位置され、切欠部３５ａ内に第１の装着用ホルダー２９の一部が配置された状態となる。従って、切欠部３５ａ内に第１の装着用ホルダー２９の一部が配置された分、配置板部３５の後側の部分３５ｄ及び第２の装着用ホルダー３４を上方に位置させることができ、装置本体２の薄型化を図ることができる。
【００４４】
保持体３３が筐体４内に配置された状態においては、接続コネクター３７が第３のフレキシブルプリント配線板３９によって第１の回路基板２２の最も後側に位置する第３のコネクター部２５に接続される（図１３参照）。このとき保持体３３が第１の回路基板２２の下側に配置され、第３のフレキシブルプリント配線板３９が屈曲した状態とされる。このように接続コネクター３７と第３のコネクター部２５とを第３のフレキシブルプリント配線板３９によって接続しているため、一部３９ａを屈曲させることにより第３のフレキシブルプリント配線板３９の一部３９ａから前側の部分が第１の回路基板２２に近付いて位置され、その分、装置本体２の薄型化を図ることができる。
【００４５】
保持体３３は第１の装着用ホルダー２９の下側に配置され、筐体４の後面に、第１の挿入口３１の下側に位置する第２の挿入口４０が形成される（図６及び図１０参照）。保持体３３には第２の挿入口４０を介して図示しない板状の第２の記憶媒体が挿入されて保持される。
【００４６】
第１の回路基板２２の下側には第２の回路基板４１が配置され、該第２の回路基板４１の上面に設けられたコネクター４１ａが第１の回路基板２２の第２のコネクター部２４に接続される（図１３参照）。
【００４７】
以下に、情報処理機器１の各使用形態について説明する。
【００４８】
情報処理機器１は、携帯機器として使用することができ、また、据置型の機器としても使用することができる。
【００４９】
情報処理機器１を携帯用の機器として使用する場合には、通常、装置本体２の左右両側面を片手で把持し、カバー体３を所望の角度で装置本体２に対して開き（図１参照）、例えば、キーボード５の操作キー５ａ、５ａ、・・・に対する操作、入力ペン１１を用いての表示部１８に対する操作、回転操作摘子２８に対する操作等を行うことができる。
【００５０】
表示部１８に対する操作、回転操作摘子２８に対する操作、カメラ部９を用いての撮影等は、図７に示すように、カバー体３を反転しキーボード５を閉塞した状態で行うこともできる。また、図２に示すカバー体３の表示部１８とキーボード５がともに閉塞された状態においても、回転操作摘子２８に対する操作、カメラ部９を用いての撮影、イヤホンジャック２７の使用等を行うことができる。
【００５１】
情報処理機器１を据置型の機器として使用する場合には、机上等の載置面１００に装置本体２を載置した状態（図３及び図４参照）で、上記した携帯用の機器として使用する場合と同様の操作等を行うことができる。
【００５２】
情報処理機器１にあっては、異なる種類の記憶媒体が各別に装着される第１の装着用ホルダー２９と第２の装着用ホルダー３４とが筐体４内に上下に離間して配置されている。従って、装置本体２の第１の装着用ホルダー２９と第２の装着用ホルダー３４とが設けられた側の重量が大きくなるため、載置面１００に載置したときの安定性を損なうおそれがある。
【００５３】
そこで、情報処理機器１にあっては、上記したように、保持体３３の第２の装着用ホルダー３４を配置板部３５に対して傾斜させ、第２の装着用ホルダー３４をキーボード形成面４ａに対して後下がりの状態で傾斜させている。
【００５４】
従って、載置面１００に対してはキーボード形成面４ａが前下がりの状態に傾斜されるため、載置面１００に載置したときの安定性の確保、装置本体２のガタツキ防止及び操作キー５ａ、５ａ、・・・に対する良好な操作性の確保を図ることができる。
【００５５】
また、載置面１００に対してキーボード形成面４ａが前下がりの状態に傾斜されるため、キーボード形成面４ａが水平な状態とされる場合に比し、操作キー５ａ、５ａ、・・・に対する良好な操作性を確保することができる。
【００５６】
情報処理機器１を据置型の機器として使用する場合には、載置面１００に装置本体２を載置し、例えば、カバー体３を装置本体２に対して開いてキーボード５の操作キー５ａ、５ａ、・・・に対しての操作を行う（以下、操作キー５ａ、５ａ、・・・に対して操作を行う状態を「キー操作状態」と言う。）が、このキー操作状態においては、上記したように、カバー体３の装置本体２に対する開き角θの変化により情報処理機器１の重心の位置が変動する。
【００５７】
しかしながら、情報処理機器１にあっては、載置面１００に対してキーボード形成面４ａが前下がりの状態に傾斜されているため、カバー体３の開き角度θの大きさに拘わらず、キー操作状態における良好な安定性を確保することができる。
【００５８】
また、情報処理機器１にあっては、筐体４の後面４ｂに、上下に離間して第１の挿入口３１及び第２の挿入口４０が形成されているため、同じ方向から種類の異なる記憶媒体の抜き差しを行うことができると共に携帯機器として使用した場合に把持した手が記憶媒体に触れることがなく、使い勝手の向上を図ることができる。
【００５９】
さらに、情報処理機器１にあっては、キー操作状態においてカバー体３が開放位置にあるときに、筐体４の前端部と後端部がともに載置面１００に接地するため（図３参照）、開放位置において操作キー５ａ、５ａ、・・・に対する操作を行ったときにも良好な操作性を確保することができる。
【００６０】
加えて、筐体４の後端部に突起１４ａ、１４ａを設けているため、筐体４のキーボード形成面４ａと底面４ｄとの間の厚みを小さくした状態で載置面１００に対するキーボード形成面４ａの傾斜角度を大きくすることができる。
【００６１】
尚、上記には、第１の装着用ホルダー２９を上側に配置し第２の装着用ホルダー３４を下側に配置した例を示したが、逆に、第１の装着用ホルダー２９を下側に配置し第２の装着用ホルダー３４を上側に配置してもよい。この場合には、第２の装着用ホルダー３４をキーボード形成面４ａに平行に配置し第１の装着用ホルダー２９をキーボード形成面４ａに対して後下がりに傾斜させる。
【００６２】
また、装着用ホルダーの数は２つに限定されることはなく、３つ以上であってもよいが、キー操作状態において最も下側に配置される装着用ホルダーをキーボード形成面４ａに対して後下がりに傾斜させる必要がある。
【００６３】
上記には、本発明をＰＤＡに適用した例を示したが、本発明の適用範囲はこれに限られることはなく、例えば、本発明を記憶媒体の装着が可能なパーソナルコンピュータ、ネットワーク端末等の各種の情報処理機器に適用することができる。
【００６４】
上記した実施の形態において示した各部の具体的な形状及び構造は、何れも本発明を実施する際の具体化のほんの一例を示したものにすぎず、これらによって本発明の技術的範囲が限定的に解釈されることがあってはならないものである。
【００６５】
【発明の効果】
以上に記載したところから明らかなように、本発明情報処理機器は、キーボード形成面に複数の操作キーを有するキーボードが設けられた筐体を備え、該筐体内に異なる種類の記憶媒体が各別に装着される複数の装着用ホルダーが配置され、任意の載置面上に載置され上記操作キーに対する操作が行われるキー操作状態における筐体の後面に、上下に離間して上記複数の装着用ホルダーの各挿入口が形成され、キー操作状態において最も載置面側に配置された装着用ホルダーが挿入口に近付くに従ってキーボード形成面から離隔する方向へ傾斜され、キー操作状態においてキーボード形成面が後方へ向かうに従って上方へ変位するように傾斜されるようにしたことを特徴とする。
【００６６】
従って、載置面に対してキーボード形成面が前下がりの状態に傾斜されるため、キー操作状態における安定性の確保、ガタツキ防止及び操作キーに対する良好な操作性の確保を図ることができる。
【００６７】
また、筐体の後面に上下に離間して各挿入口が形成されているため、同じ方向から種類の異なる記憶媒体の抜き差しを行うことができると共に携帯機器として使用した場合に把持した手が記憶媒体に触れることがなく、使い勝手の向上を図ることができる。
【００６８】
請求項２に記載した発明にあっては、筐体の挿入口が形成された側の端部に回動自在に支持されると共にキーボードを閉塞する閉塞位置とキーボードを開放する開放位置との間で回動するカバー体を設けたので、閉塞位置においてキーボードを保護することができると共に使用形態の幅が広がり使い勝手が向上する。
【００６９】
請求項３に記載した発明にあっては、キー操作状態においてカバー体が開放位置にあるときに、筐体の前後方向における両端部が載置面に接地するようにしたので、開放位置において操作キーに対する操作を行ったときにも良好な操作性を確保することができる。
【００７０】
請求項４に記載した発明にあっては、キー操作状態における筐体の底面の後端部に、載置面に接地する突起を設けたので、筐体のキーボード形成面とその反対側の面との間の厚みを小さくした状態で載置面に対するキーボード形成面の傾斜角度を大きくすることができる。
【００７１】
請求項５に記載した発明にあっては、筐体内に回路基板を設け、該回路基板を上記傾斜された装着用ホルダー上に配置し、上記傾斜された装着用ホルダーに記憶媒体が接続される接続コネクターを設け、回路基板と接続コネクターとをフレキシブルプリント配線板によって接続したので、装着用ホルダーと接続コネクターとの高さの相違分だけフレキシブルプリント配線板を屈曲させることにより、筐体の薄型化を図ることができる。
【００７２】
請求項６に記載した発明にあっては、傾斜された装着用ホルダーを他の装着用ホルダーに接した状態で配置される配置板部に連設し、該配置板部に上記他の装着用ホルダーの一部が配置される切欠部を形成したので、筐体の薄型化を図ることができる。
【図面の簡単な説明】
【図１】図２乃至図１３と共に本発明情報処理機器の実施の形態を示すものであり、本図はカバー体が開放された状態を示す情報処理機器の斜視図である。
【図２】カバー体が閉塞された状態を示す情報処理機器の斜視図である。
【図３】カバー体が開放位置にある状態を示す情報処理機器の側面図である。
【図４】カバー体が閉塞位置にある状態を示す情報処理機器の側面図である。
【図５】底面側を示す情報処理機器の斜視図である。
【図６】情報処理機器の拡大背面図である。
【図７】カバー体が閉塞されたときに表示面に対する操作が可能な状態を示す情報処理機器の斜視図である。
【図８】筐体内に配置された各部を示す分解斜視図である。
【図９】筐体内に配置された各部を示す斜視図である。
【図１０】第１の装着用ホルダーと第２の装着用ホルダーのキーボード形成面に対する傾斜状態を示す概念図である。
【図１１】保持体の拡大斜視図である。
【図１２】保持体の拡大側面図である。
【図１３】筐体内に配置された各部の位置関係を示す拡大断面図である。
【図１４】従来の問題点を示す概念図である。
【符号の説明】
１…情報処理機器、３…カバー体、４…筐体、４ａ…キーボード形成面、４ｂ…後面、５…キーボード、５ａ…操作キー、１４ａ…突起、２２…第１の回路基板、２９…第１の装着用ホルダー、３１…第１の挿入口、３４…第２の装着用ホルダー、３５…配置板部、３５ａ…切欠部、３７…接続コネクター、３９…第３のフレキシブルプリント配線板、４０…第２の挿入口、１００…載置面
【図１】
2004118504.tif 000003
【図２】
2004118504.tif 000004
【図３】
2004118504.tif 000005
【図４】
2004118504.tif 000006
【図５】
2004118504.tif 000007
【図６】
2004118504.tif 000008
【図７】
2004118504.tif 000009
【図８】
2004118504.tif 000010
【図９】
2004118504.tif 000011
【図１０】
2004118504.tif 000012
【図１１】
2004118504.tif 000013
【図１２】
2004118504.tif 000014
【図１３】
2004118504.tif 000015
【図１４】
2004118504.tif 000016